(57)【特許請求の範囲】
【請求項１】
デジタルカラー画素データを生成する信号源回路と、
上記信号源回路から出力されたデジタルカラー画素データに基づいてＣＲＴ非線形特性に対応した補正を行うγ補正回路と、
上記γ補正回路の出力信号を合成すべき信号形態に対応して選択的にデータ変換を行うデータ変換回路と、
上記ＣＲＴ画面上に表示すべき画像信号と、上記データ変換回路を通した画像データとを合成するデータ合成回路とを備えてなることを特徴とする画像合成装置。
【請求項２】
上記信号源回路は、
表示すべき画像に対応したビットマップが格納されたビットマップメモリと、
上記表示すべき画素の色を指定するカラーパレットメモリと、
上記ＣＲＴ画面上に表示すべき画像信号に同期させてビットマップメモリとカラーパレットメモリからのデータを受け取り、ＲＧＢの三原色のカラーデータを生成するものであることを特徴とする請求の範囲第１項記載の画像合成装置。
【請求項３】
上記信号源回路は、
ＲＧＢの三原色からなるカラーデータ又は輝度信号と２つの色差信号からなるカラーデータを形成する信号生成回路と、
上記輝度信号と２つの色差信号からなるカラーデータをＲＧＢからなる三原色のカラーデータに変換するマトリクス回路と、
上記マトリマス回路の出力又は入力信号を選択して上記γ補正回路に供給されるＲＧＢの三原色からなるカラーデータを出力させるセレクタとを備えるものであることを特徴とする請求の範囲第２項記載の画像合成装置。
【請求項４】
上記データ変換回路は、
上記γ補正回路から出力される補正されたＲＧＢからなる三原色カラーデータを輝度信号と２つの色差信号に変換する逆マトリクス回路と、
上記γ補正回路の出力又は上記逆マトリクス回路の出力を選択して上記データ合成回路に伝えるデータセレクタとからなるものであることを特徴とする請求の範囲第１項記載の画像合成装置。
【請求項５】
上記γ補正回路は、
入力レベルを複数に領域に分けて各々の領域毎でのＣＲＴの非直線特性に近似された乗数を持つ複数からなる乗算回路と、
上記複数の領域に対応した入力レベルを判定するレベル検出回路と、
上記レベル検出回路の検出信号により上記入力信号に該当する領域に対応した乗算回路の出力信号を選択する出力セレクタとからなるものであることを特徴とする請求の範囲第１項記載の画像合成装置。
【請求項６】
上記複数の乗算回路、レベル検出回路の入力部には、パラレル−シリアル変換回路が設けられて、補正させるべきＲＧＢの三原色カラーデータが時分割的に入力され、
上記出力セレクタの出力部には、シリアル−パラレル変換回路が設けられて、補正されたＲＧＢの三原色カラーデータが取り出されるものであることを特徴とする請求の範囲第５項記載の画像合成装置。
【発明の詳細な説明】
技術分野
この発明は、画像合成装置に関し、主として衛星放送のテレビジョン画面上に文字や図形等を合成して表示させる技術に利用して有効な技術に関するものである。
背景技術
テレビジョン画像などの自然画像にＣＧ（コンピュータグラフィックス）画像を合成する画像合成法として、特開平６−２７６４３４号公報がある。上記公報の画像合成法では、ＣＧ画像に対してダイオードの非線型特性、あるいはＣＧ画像信号をＡ／Ｄ変換して、デジタル的にγ補正し、それをＤ／Ａ変換してテレビジョン画像などと合成する。
本願発明者等においては、１００チャンネル等のような多チャンネルの衛星放送を受信するテレビジョン受像機では、画面上にチャンネル情報を表示させて、その中から特定のチャンネルを選択するようにすることを考えた。この場合、画面上には多色を使った文字や図形等の組み合わせによりチャンネルの表示を行わせることが便利であり、そのための色指定においてＣＲＴ（Ｃａｔｈｏｄ−Ｒａｙ  Ｔｕｂｅ）表示装置の持つ非直線特性に合わせるべく指定された色が正しく表示させるためのγ補正を行うとともに、上記文字や図形を作成側及び上記放送側のシステムに柔軟に適用できるような画像合成装置を考えた。
したがって、この発明は、それが搭載されるシステムに柔軟に対応でき、かつ使い勝手を良くした画像合成装置を提供することを目的としている。この発明の前記ならびにそのほかの目的と新規な特徴は、本明細書の記述および添付図面から明らかになるであろう。
発明の開示
本発明は、デジタルカラー画素データを生成する信号源回路から出力されたデジタルカラー画素データに基づいてＣＲＴ非線形特性に対応したγ補正を行い、上記γ補正出力信号を合成すべき信号形態に対応して選択的にデータ変換を行うデータ変換回路を設け、上記ＣＲＴ画面上に表示すべき画像信号と、上記データ変換回路を通した画像データとをデータ合成回路で合成させる。
発明を実施するための最良の形態
この発明をより詳細に説述するために、添付の図面に従ってこれを説明する。
第８図には、この発明に係る画像合成装置が用いられるデジタル衛星放送受信装置の一実施例のブロック図が示されている。この実施例のデジタル衛星放送受信装置は、大きく分けると受信部１００、システム制御部２００、ＭＰＥＧビデオ部３００、カラーエンコーダ２０及びＣＲＴ表示装置３０から構成される。
受信部１００は、衛星放送アンテナから必要とする周波数の電波のみを選択するチューナ部、受信した電波からデジタルデータを抽出するＱＰＳＫ（Ｑｕａｄｒａｔｕｒｅ  Ｐｈａｓｅ  Ｓｈｉｆｔ  Ｋｅｙｉｎｇ）などの復調部、抽出したデジタルデータに対して誤り訂正処理を施す訂正部から構成されている。
システム制御部２００は、ＤＥＭＵＸ（デマルチプレクサ）部及びそれを制御するためのＣＰＵ（中央処理装置；マイクロプロセッサ）から構成される。ＤＥＭＵＸは、受信部１００より送られてくるデジタル信号にパケット多重されている複数の映像や音声プログラム情報やシステム制御情報及び放送に付随した情報などを選択分配する。
ＭＰＥＧビデオ部３００は、ＭＰＥＧ２デコーダ（フレームメモリを含む）と本願発明に係るＯＳＤ（オン・スクリーン・ディスプレイ）デコーダ及びミキシング部から構成される。ＤＥＭＵＸより出力されるビットストリームからＭＰＥＧ２デコーダでＭＰＥＧ画像の復号を行い第１映像信号を再生する。上記ＤＥＭＵＸより出力されるビットストリームの中には、音声プログラム情報も含まれており、ＭＰＥＧ２デコーダでは音声信号の再生も行われる（図示せず）。
ＭＰＥＧ２（Ｍｏｖｉｎｇ  Ｐｉｃｔｕｒｅ  Ｅｘｐｅｒｔｓ  Ｇｒｏｕｐ  Ｐｈａｓｅ  ２）は、動画像圧縮の国際標準方式であり、周知のように５種類のプロファイル（符号化の機能）と４種類のレベル（解像度などのパラメータ）の組み合わせのうち、１１種類が規定されている。
ＣＰＵからＯＳＤデコーダに文字情報等のデータを供給することにより、ＯＳＤとして第２映像信号を生成する。ミキシング部では、第１映像信号と第２映像信号を合成し、新たな第３映像信号として出力する。
カラーエンコーダ２０では、ＣＲＴ表示装置３０に表示できるように、上記第３映像信号をアナログのコンポジット信号又はコンポーネント信号に変換する。
第１図には、この発明に係る画像合成装置の一実施例のブロック図が示されている。この実施例の画像合成装置は、前記第８図に示したＭＰＥＧビデオ部３００を構成するものであり、特に制限されないが、同一の半導体基板上に形成される。
前記ＤＥＭＵＸより符号化されて出力された画像のビットストリームは、ＭＰＥＧ２デコーダ１に入力され、ここで復号化が行われ、輝度信号Ｙｍと色差信号Ｃｂｍ及びＣｒｍの画像データが得られる。この実施例では、ＣＲＴ表示装置の表示信号を形成するカラーエンコーダに対応して、２通りのデータフォーマットを選ぶことができるようにされる。つまり、上記輝度信号Ｙｍと色差信号Ｃｂｍ及びＣｒｍをＲＧＢの三原色カラー信号Ｒｍ、Ｇｍ及びＢｍに変換するマトリクス回路と、かかる三原色カラー信号Ｒｍ、Ｇｍ及びＢｍ又は上記ＭＰＥＧ２デコーダ１から出力される画像データＹｍ、Ｃｂｍ及びＣｒｍのいずれかを選択して出力させるセレクタ３が設けられる。
上記セレクタ３は、パラメータレジスタ５から出力される制御信号ＣＴＲＬにより、上記ＭＰＥＧ２デコーダ１から出力される輝度信号Ｙｍと色差信号Ｃｂｍ及びＣｒｍ又はマトリクス回路２から出力される三原色カラー信号Ｒｍ、Ｇｍ及びＢｍのいずれか一方を出力させる。
ＣＲＴ表示装置３０の非直線特性に合わせたγ補正は、三原色カラーデータに対して行われるために、γ補正回路１２に供給される補正データはＲＧＢの三原色カラーデータにする必要がある。
したがって、ＯＳＤデコーダ８は、ＣＰＵからの文字情報等に基づいて上記三原色のカラーデータＲＧＢを生成する。これに対して、上記ＭＰＥＧデコードデータ１からの画像データは、上記のようにセレクタ３による２通りのデータフォーマットが用意されているので、それとミキシング回路（データ合成回路）４により合成されるγ補正回路１２の出力データもそれに対応したデータフォーマットにするため、逆マトリクス１３とセレクタ１４が設けられる。つまり、γ補正された３原色カラーデータＲ（γ）、Ｇ（γ）及びＢ（γ）は逆マトリクス１３によりγ補正された輝度信号Ｙ（γ）、色差信号Ｃｂ（γ）、Ｃｒ（γ）に変換される。そして、セレクタ１４により、上記γ補正された輝度信号Ｙ（γ）と色差信号Ｃｂ（γ）、Ｃｒ（γ）とγ補正された三原色カラーデータＲ（γ）、Ｇ（γ）及びＢ（γ）を選択的に出力させる。このセレクタ１４もパラメータレジスタ５から出力される制御信号ＣＴＲＬにより、上記セレクタ３により選択されたデータフォーマット（ＹｍとＣｂｍ及びＣｒｍ）又は（Ｒｍ、Ｇｍ及びＢｍ）に対応したデータフォーマットＹ（γ）とＣｂ（γ）及びＣｒ（γ）又はＲ（γ）、Ｇ（γ）及びＢ（γ）のいずれか一方を出力させる。
第２図には、この発明に係る画像合成装置の他の一実施例のブロック図が示されている。この実施例では、ＯＳＤデコーダ側でも２通りのデータフォーマットでの信号生成を行うような機能が付加される。つまり、ＣＰＵを用いて形成する画像データの生成に当たり、輝度信号と色差信号からなるデータフォーマットと三原色カラーデータＲＧＢからなるデータフォーマットのいずれにも適用できるような配慮がなされている。この実施例では、ビットマップを記憶する第１メモリ７とそれぞれのビットのカラーデータを記憶する第２メモリ９とを用いて、１つの画素データが生成される。
ＣＰＵは、第１メモリ７に対して表示するＯＳＤ画像のビットマップデータに格納させる。また、第２メモリ９には、表示すべき色を指定するパレットデータを格納させる。ＯＳＤデコーダ８は、上記ＭＰＥＧ２デコーダ１の動作に対応して、言い換えるならば、ＣＲＴ画面のラスタスキャンタイミングに同期させて、第１メモリ７のビットマッブデータを読み出し、そのデータをデコードして第２メモリ９をアクセスしてカラーデータを形成する。このとき、生成されるカラーデータとしては、上記２通りのデータフォーマットＹ／Ｒ、Ｃｂ／Ｇ、Ｃｒ／Ｂが形成される。
上記ＯＳＤデコーダの出力部には、マトリクス１０とセレクタ１１とが設けられる。つまり、前記のようにγ補正回路１２では、三原色カラーデータＲＧＢに対してγ補正を行うものであるので、上記ＯＳＤデコーダにより、輝度信号Ｙと色差信号Ｃｂ、Ｃｒであるときには、セレクタ１１によりマトリクス１０で変換された３原色カラーデータを選ぶようにするものである。このセレクタ１１も、前記セレクタ３及び１４と同様にパラメータ５からの制御信号ＣＴＲＬで制御される。
図示しない前記のカラーエンコーダ２０に対してＲＧＢフォーマットのカラーデータを出力させる場合の動作は、次の通りである。
ＭＰＥＧ２デコーダ１で形成されたＹｍＣｂｍＣｒｍフォーマットのカラーデータは、マトリクス２とセレクタ３を通したＲｍＧｍＢｍの三原色カラーデータとされる。上記ＭＰＥＧ２デコードデータとミキシングされるＯＳＤデータも上記ＭＰＥＧ２デコードデータ側の出力フォーマットに一致させておく必要がある。ＯＳＤデータを生成するには、前記のようにＣＰＵ６から表示するＯＳＤ画像のビットマップデータを第１メモリ７に格納し、第２メモリ９にはパレットデータを格納している。ＯＳＤデコーダ８は、第１メモリ７に格納されたビットマップデータをデコードし、第２メモリ回路９から対応するパレットを読み出す。このパッレトのＲＧＢ成分がＯＳＤデータとなり、セレクタ１１ではマトリクス１０をバイパスした経路を選択してγ補正回路１２に入力させる。γ補正回路１２では、ＣＲＴ表示装置の発光特性と逆の特性を有するγ補正が行われ、ＲＧＢの信号レベルが補正されたカラーデータＲ（γ）、Ｇ（γ）、Ｂ（γ）が形成される。
補正されたカラーデータＲ（γ）、Ｇ（γ）、Ｂ（γ）は、セレクタ１４において、逆マトリクス回路１３をバイパスした信号を選択してミキシング回路４に送られる。ミキシング回路４は、上記ＭＰＥＧ２データとＯＳＤデータを合成し、新たなビデオ信号を生成し、前記のカラーエンコーダに出力する。
図示しない前記のカラーエンコーダ２０に対してＹＣｂＣｒフォーマットのカラーデータを出力させる場合の動作は、次の通りである。
ＭＰＥＧ２デコーダ１で形成されたＹｍＣｂｍＣｒｍフォーマットのカラーデータは、セレクタ３によりマトリクス回路２をバイパスさせてＹｍＣｂｍＣｒｍのカラーデータを出力させる。上記ＭＰＥＧ２デコードデータとミキシングされるＯＳＤデータも上記ＭＰＥＧ２デコードデータ側の出力フォーマットに一致させておく必要がある。ＯＳＤデータを生成するには、前記同様にＣＰＵ６から表示するＯＳＤ画像のビットマップデータを第１メモリ７に格納し、第２メモリ９にはパレットデータを格納している。ＯＳＤデコーダ８は、第１メモリ７に格納されたビットマップデータをデコードし、第２メモリ回路９から対応するパレットを読み出す。このパッレトにＹＣｂＣｒが格納されているならそれがＯＳＤデータとなり、セレクタ１１ではマトリクス１０を通した経路を選択してＲＧＢフォーマットに変換してγ補正回路１２に入力させる。γ補正回路１２では、ＣＲＴ表示装置の発光特性と逆の特性を有するγ補正が行われ、ＲＧＢの信号レベルが補正されたカラーデータＲ（γ）、Ｇ（γ）、Ｂ（γ）が形成される。
補正されたカラーデータＲ（γ）、Ｇ（γ）、Ｂ（γ）は、セレクタ１４において、逆マトリクス回路１３を通してＹ（γ）、Ｃｂ（γ）、Ｃｒ（γ）のフォーマットに変換した信号を選択してミキシング回路４に送られる。ミキシング回路４は、上記ＭＰＥＧ２データとＯＳＤデータを合成し、新たなビデオ信号を生成し、前記のカラーエンコーダに出力する。
第３図には、この発明に画像合成装置に用いられるγ補正回路の一実施例を示すブロック図が示されている。この発明に係る画像合成装置では、デジタル信号を扱うものであることから、γ補正回路もデジタル信号の特徴を生かした回路とされる。ＣＲＴ非直線特性はリニアな特性曲線を持つものであるが、それを複数の直線により近似し、各直線に対応した利得１から利得５に分割する。特に制限されないが、利得１ないし利得５は、乗数を記憶するものであり、入力データに対して上記各利得回路の乗数を乗算させて補正データを得るものである。上記複数通りの補正データは、レベル検出回路により形成された制御信号により選択制御されるセクレタを通し入力信号に対応してγ補正された上記演算データが出力される。
この実施例では、三原色のカラーデータＯＳＤＲ−ｄａｔａ、ＯＳＤＧ−ｄａｔａ、ＯＳＤＢ−ｄａｔａに対応して三組の回路が設けられる。この実施例では、上記３原色カラーデータの各レベルに対応して、例えばＲ信号成分では、利得２が選択され、Ｇ信号成分は利得３が選択され、Ｂ信号成分は利得４が選ばれて、それぞれγ補正されたＲ（γ）、Ｇ（γ）及びＢ（γ）信号が形成される。
第４図には、この発明に画像合成装置に用いられるγ補正回路の他の一実施例を示すブロック図が示されている。この実施例では、回路の簡素化を図るために１組の上記レベル検出回路と利得回路を時分割的に使用し、回路規模を大幅に低減させるようにするものである。つまり、上記カラーデータＯＳＤＲ−ｄａｔａ、ＯＳＤＧ−ｄａｔａ、ＯＳＤＢ−ｄａｔａに対するγ補正は、同一の利得回路（テーブル）の特性が同じであるので、同一の回路を時間的に分割して上記ＯＳＤＲ−ｄａｔａ、ＯＳＤＧ−ｄａｔａ、ＯＳＤＢ−ｄａｔａに共用するものである。
上記のような時分割的なγ補正動作を行うようにするため、入力部にはパラレル−シリルア変換回路が設けられ、出力部には逆にシリアル−パラレル変換回路が設けられる。
パラレル−シリルア変換回路では、Ｒ−ｄａｔａ、Ｇ−ｄａｔａ、Ｂ−ｄａｔａを切換信号により第５図の波形図に示すようにシリアルデータＲ−Ｇ−Ｂに変換して時間多重させる。これにより、１組の利得回路とレベル検出回路によりγ補正されたシリアルな画像データＲ（γ）−ｄａｔａ、Ｇ（γ）−ｄａｔａ、Ｂ（γ）−ｄａｔａは、第６図に示したようにシリアル−パラレル変換回路でパラレルデータに戻される。例えば、シリアル−パラレル変換回路は、上記シリアルデータを順次受けるシフトレジスタにより構成され、矢印で示したタイミングで各段のデータを取り出すことによりパラレル変換された補正データＲ（γ）−ｄａｔａ、Ｇ（γ）−ｄａｔａ、Ｂ（γ）−ｄａｔａを得ることができる。
第７図には、この発明に係るγ補正回路の動作を説明するための特性図が示されている。この実施例では、デジタルカラーデータは量子化が８ビットの例が示され、入力レベルは十進法で表すと０〜５１、５２〜１０２、１０３〜１５３、１５４〜２０４、２０５〜２５５に分けられる。それぞれの入力レベルに対して、同図に直線で示したように出力階調レベルの補正が行われる。つまり、各直線の分岐部での入力レベル５１に対して出力レベルは１２２にされ、入力レベル１０２に対して出力レベルは１６８、入力レベル１５３に対して出力レベルは２０２、入力レベル２０４に対して出力レベルは２３０に、入力レベル２５５に対して出力レベルが２５５になるように補正される。
例えば、入力信号ａに対して、次式（１）〜（５）の演算が行われて出力信号ｂが形成される。
ｂ（γ）＝０＋（（５０＋ａ）−５０）×Ｘ０          ・・・・（１）
ｂ（γ）＝１２２＋（（５１＋ａ）−１０２）×Ｘ１    ・・・・（２）
ｂ（γ）＝１６８＋（（５２＋ａ）−１５３）×Ｘ２    ・・・・（３）
ｂ（γ）＝２０２＋（（４９＋ａ）−２０４）×Ｘ３    ・・・・（４）
ｂ（γ）＝２３０＋（（５１＋ａ）−２５５）×Ｘ４    ・・・・（５）
上記Ｘ０〜Ｘ４は、上記各直線の傾きであり、同図においてはＸ０は２．４、Ｘ１は０．９、Ｘ２は０．６５、Ｘ３は０．５５、Ｘ４は０．５にそれぞれ設定される。
上記γ補正は、ＲＯＭを用いて変換するものであってもよい。例えば、上記８ビット精度の場合には、８ビットの入力データをアドレス信号してγ補正された８ビットのデータを読み出すようにすればよい。この構成では、２５６×８＝２０４８ビットの記憶容量のＲＯＭで高い精度でのγ補正を実現できるものである。
上記の画像合成装置では、それが搭載されるシステムに柔軟に適応できるものとなる。例えば、ＯＳＤデータは、前記のように２通りのデータフォーマットのいずれでも対応できるし、合成された画像データも使用するカラーエンコーダに対応して２通りのデータフォーマットを選択することができる。７
例えば衛星放送受信装置に適用した場合、１００チャンネルもの多数チャンネルの中から目的のチャンネルを探し出すには、受信画面上に文字や図形を組み合わせて表示させることが便利であり、この場合に色によってチャンネルの区分けや文字を表示させることが便利であり、そのためにγ補正された色を用いることにより、ＣＰＵにて作成したカラーデータに忠実な色再現には上記γ補正は不可欠なものとなる。
上記の実施例から得られる作用効果は、下記の通りである。
（１）  デジタルカラー画素データを生成する信号源回路から出力されたデジタルカラー画素データに基づいてＣＲＴ非線形特性に対応したγ補正を行い、上記γ補正出力信号を合成すべき信号形態に対応して選択的にデータ変換を行うデータ変換回路を設け、上記ＣＲＴ画面上に表示すべき画像信号と、上記データ変換回路を通した画像データとをデータ合成回路で合成させることにより、２通りのデータフォーマットに対応した合成画像信号を得ることができるという効果が得られる。
（２）  上記信号源回路として、表示すべき画像に対応したビットマップが格納されたビットマップメモリと、上記表示すべき画素の色を指定するカラーパレットメモリを用い、ＣＲＴ画面上に表示すべき画像信号に同期させてビットマップメモリとカラーパレットメモリからのデータを受け取ってＲＧＢの三原色のカラーデータを生成することにより、文字等のパターンとその色を別々に指定できるから使い勝手の良い画像合成装置を得ることができるという効果が得られる。
（３）  上記信号源回路として、ＲＧＢの三原色からなるカラーデータ又は輝度信号と２つの色差信号からなるカラーデータを形成する信号生成回路と、上記輝度信号と２つの色差信号からなるカラーデータをＲＧＢからなる三原色のカラーデータに変換するマトリクス回路と、上記マトリマス回路の出力又は入力信号を選択して上記γ補正回路に供給されるＲＧＢの三原色からなるカラーデータを出力させるセレクタとで構成することにより、ＯＳＤデータとして２通りの作り方ができるから使い勝手の良い画像合成装置を得ることができるという効果が得られる。
（４）  上記データ変換回路として、γ補正回路から出力される補正されたＲＧＢからなる三原色カラーデータを輝度信号と２つの色差信号に変換する逆マトリクス回路と、上記γ補正回路の出力又は上記逆マトリクス回路の出力を選択して上記データ合成回路に伝えるデータセレクタとで構成することにより、上記２つのデータフォーマットに対応した２通りのカラーエンコーダに適用できるという効果が得られる。
（５）  上記γ補正回路として、入力レベルを複数に領域に分けて各々の領域毎でのＣＲＴの非直線特性に近似された乗数を持つ複数からなる乗算回路と、上記複数の領域に対応した入力レベルを判定するレベル検出回路と、上記レベル検出回路の検出信号により上記入力信号に該当する領域に対応した乗算回路の出力信号を選択する出力セレクタとで構成することにより、比較的簡単な構成でのデジタルカラーデータのγ補正を行うようにすることができるという効果が得られる。
（６）  上記複数の乗算回路とレベル検出回路の入力部に、パラレル−シリアル変換回路を設けて補正させるべきＲＧＢの三原色カラーデータを時分割的に入力し、上記出力セレクタの出力部にシリアル−パラレル変換回路を設けることにより、γ補正回路の回路規模を大幅に低減させることができるという効果が得られる。
以上本発明者よりなされた発明を実施例に基づき具体的に説明したが、本願発明は前記実施例に限定されるものではなく、その要旨を逸脱しない範囲で種々変更可能であることはいうまでもない。例えば、第４図において、パラレル−シリアル変換回路又はパラレル−シリアル変換回路は、シフトレジスタを用いるものの他に同図のような切り換えスイッチ（セレクタ）と必要に応じてラッチ回路を組み合わせて構成するもの等種々の実施形態を取ることができる。γ補正回路の直線近似による分割は、分割数を多くして精度を高くするものであってもよい。これらの画像合成装置を構成する各回路ブロックの具体的構成種々の実施形態をとることができる。
産業上の利用可能性
この発明は、前記のデジタル衛星放送受像機の他、地上波のデジタルカラーテレジビョン受像機、デジタルケーブルテレビジョン受像機あるいはデジタルＶＴＲ（ビデオ・テープ・レコーダ）に搭載される画像合成装置に広く利用できるものである。
【図面の簡単な説明】
第１図は、この発明に係る画像合成装置の一実施例を示す概略ブロック図であり、
第２図は、この発明に係る画像合成装置の他の一実施例を示すブロック図であり、
第３図は、この発明に係る画像合成装置に用いられるγ補正回路の一実施例を示すブロック図であり、
第４図は、この発明に係る画像合成装置に用いられるγ補正回路の他の一実施例を示すブロック図であり、
第５図は、第４図のγ補正回路の動作を説明するためのタイミング図であり、
第６図は、第４図のγ補正回路の動作を説明するためのタイミング図であり、
第７図は、第３図又は第４図に示されたγ補正回路の動作を説明するための特性図であり、
第８図は、この発明に係る画像合成装置が用いられる衛星放送受信装置の一実施例のブロック図である。
【図１】
0003804915.tif 000002
【図２】
0003804915.tif 000003
【図３】
0003804915.tif 000004
【図４】
0003804915.tif 000005
【図５】
0003804915.tif 000006
【図６】
0003804915.tif 000007
【図７】
0003804915.tif 000008
【図８】
0003804915.tif 000009